(57)【要約】【課題】一種の電子装置保存容量拡張のメモリ装置。【解決手段】主に基板とデータ保存モジュールを含め、該基板は、少なくとも一つのインターフェースカードスロットを含める。該データ保存モジュールは少なくとも１枚の保存インターフェースカードを含め、該保存インターフェースカードに複数のメモリスロットを設け、当該メモリスロットは、メモリ装置を移動可能のように挿入し、該メモリ装置をデータ保存に提供する。該保存インターフェースカードは該インターフェースカードスロットに挿入する。それに伴い、保存インターフェースカードのメモリスロットにより、メモリ装置の拡張が便利となり、必要に応じて保存容量を追加できるため、データ保存の安全性、効率性及び振動防止機能を向上できる。【選択図】図３
0003146544.tif 000002
【実用新案登録請求の範囲】
【請求項１】
基板は、マイクロプロセッサーと、少なくとも１枚のインターフェースカードスロットとを含め、
データ保存モジュールは、保存インターフェースカードを含め、該保存インターフェースカードは該インターフェースカードスロットに挿入し、該保存インターフェースカードに複数のメモリスロットを取付け、
メモリ装置を、メモリスロットに挿入し、かつ、該メモリ装置は電子装置のデータ保存に提供することを特徴とする一種の電子装置保存容量拡張のメモリ装置。
【請求項２】
該基板上はさらに、保存装置制御インターフェースを含め、該保存装置制御インターフェースは電気回路により、該マイクロプロセッサーと該データ保存モジュールとを電気接続することを特徴とする請求項１記載の一種の電子装置保存容量拡張のメモリ装置。
【請求項３】
該保存インターフェースカードはさらに、保存装置制御インターフェースを含め、該保存装置制御インターフェースは電気回路により、該マイクロプロセッサーと該データ保存モジュールとを電気接続することを特徴とする請求項１記載の一種の電子装置保存容量拡張のメモリ装置。
【請求項４】
該保存装置制御インターフェースはＰＣＩ（Ｐｅｒｉｐｈｅｒａｌ  Ｃｏｍｐｏｎｅｎｔ  Ｉｎｔｅｒｆａｃｅ）、ＥＳＡＴＡ（Ｅｘｔｅｒｎａｌ  Ｓｅｒｉａｌ  ＡＴＡ）、ＰＣＭＣＩＡ（Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）などの伝送プロトコールに適合することを特徴とする請求項２記載の一種の電子装置保存容量拡張のメモリ装置。
【請求項５】
該保存装置制御インターフェースはＰＣＩ（Ｐｅｒｉｐｈｅｒａｌ  Ｃｏｍｐｏｎｅｎｔ  Ｉｎｔｅｒｆａｃｅ）、ＥＳＡＴＡ（Ｅｘｔｅｒｎａｌ  Ｓｅｒｉａｌ  ＡＴＡ）、ＰＣＭＣＩＡ （Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）などの伝送プロトコールに適合することを特徴とする請求項３記載の一種の電子装置保存容量拡張のメモリ装置。
【請求項６】
該メモリ装置はＳＤカード、ＣＦカード、ＭＳカード、ＭＭＣカード、ＳＭカードなど各種のメモリ装置規格に適合することを特徴とする請求項１記載の一種の電子装置保存容量拡張のメモリ装置。
【請求項７】
基板に、少なくとも二つのインターフェースカードスロットを設け、
データ保存モジュールは、少なくとも二つの保存インターフェースカードを含め、当該保存インターフェースカードは該インターフェースカードスロットにそれぞれ挿入し、当該保存インターフェースカードに複数のメモリスロットを取付け、
メモリ装置を、メモリスロットに挿入し、かつ、該メモリ装置は電子装置のデータ保存に提供することを特徴とするし、一種の電子装置保存容量拡張のメモリ装置。
【請求項８】
該基板上はさらに、保存装置制御インターフェースを含め、該保存装置制御インターフェースは電気回路により、該マイクロプロセッサーと該データ保存モジュールとを電気接続することを特徴とする請求項７記載の一種の電子装置保存容量拡張のメモリ装置。
【請求項９】
該保存インターフェースカードはさらに、保存装置制御インターフェースを含め、該保存装置制御インターフェースは電気回路により、該マイクロプロセッサーと該データ保存モジュールとを電気接続することを特徴とする請求項７記載の一種の電子装置保存容量拡張のメモリ装置。
【請求項１０】
該保存装置制御インターフェースはＰＣＩ（Ｐｅｒｉｐｈｅｒａｌ  Ｃｏｍｐｏｎｅｎｔ  Ｉｎｔｅｒｆａｃｅ）、ＥＳＡＴＡ（Ｅｘｔｅｒｎａｌ  Ｓｅｒｉａｌ  ＡＴＡ）、ＰＣＭＣＩＡ （Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）などの伝送プロトコールに適合することを特徴とする請求項８記載の一種の電子装置保存容量拡張のメモリ装置。
【請求項１１】
該保存装置制御インターフェースはＰＣＩ（Ｐｅｒｉｐｈｅｒａｌ  Ｃｏｍｐｏｎｅｎｔ  Ｉｎｔｅｒｆａｃｅ）、ＥＳＡＴＡ（Ｅｘｔｅｒｎａｌ  Ｓｅｒｉａｌ  ＡＴＡ）、ＰＣＭＣＩＡ （Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）などの伝送プロトコールに適合することを特徴とする請求項９記載の一種の電子装置保存容量拡張のメモリ装置。
【請求項１２】
該メモリ装置はＳＤカード、ＣＦカード、ＭＳカード、ＭＭＣカード、ＳＭカードなど各種のメモリ装置規格に適合することを特徴とする請求項７記載の一種の電子装置保存容量拡張のメモリ装置。
【考案の詳細な説明】
【技術分野】
【０００１】
本考案一種の電子装置のデータ保存装置であって、特に一種のメモリ装置を電子装置の保存容量を拡張する共に、効率と安全性を向上するものに係わるものである。
【背景技術】
【０００２】
現在の電子装置１００はパソコン（ＰＣ）、産業用コンピュータ（ＩＰＣ）などに内蔵された保存装置は、主にハードディスクが使用されている。図１にパソコン（ＰＣ）の構成を例示する。公知技術によると、基板９０にマイクロプロセッサー９１と保存装置制御インターフェース９２を設け、該保存装置制御インターフェース９２は電気回路９３により一つの又は複数のハードディスク９４に接続されている。該保存装置制御インターフェース９２はＩＤＥ（Ｉｎｔｅｇｒａｔｅｄ  Ｄｅｖｉｃｅ  Ｅｌｅｃｔｒｏｎｉｃ）、ＰＣＩ（Ｐｅｒｉｐｈｅｒａｌ  Ｃｏｍｐｏｎｅｎｔ  Ｉｎｔｅｒｆａｃｅ）、ＳＡＴＡ（Ｓｅｒｉａｌ  ＡＴＡ）などのバス規格をサポートしている。
【考案の開示】
【考案が解決しようとする課題】
【０００３】
当該ハードディスク９４の保存容量に制限があるため、利用者は保存容量を拡張するときの一つ方法として、該ハードディスク９４を保存容量の大きいハードディスクに交換する。惜しいことは、この種の交換による拡張方式では、コンピュータのシステムソフトとデータの再導入が必要なため、コスト面と時間ロスとなり、経済的ではない。もう一つの方法は、新たに一つのハードディスク９５を追加する。しかしながら、この種の追加による拡張方式では、コンピュータ本体にそれなりのスペースと構成を必要とし、かつ、操作が便利と言えない。一方、ハードディスクは精密度の高い製品であり、その稼働方式は主に、制御回路の制御により、読み書きヘッドがハードディスクの円盤に高速移動して実行する。このため、ハードディスクの稼働中に衝撃又は移動されると、破損の恐れがある。また、科学の進歩により、ハードディスクは車両、船舶など交通具の電子装置にも利用されるようになりました。そこで、ハードディスクの衝撃に弱い欠点を改善するため、ＳＤカード（Ｓｅｃｕｒｅ  Ｄｉｇｉｔａｌ）（登録商標）、ＣＦカード（Ｃｏｍｐａｃｔ  Ｆｌａｓｈ）（登録商標）、ＭＳカード（Ｍｅｍｏｒｙ  Ｓｔｉｃｋ）、ＭＭＣカード（Ｍｕｌｔｉ  Ｍｅｄｉａ  Ｃａｒｄ）、ＳＭカード（Ｓｍａｒｔ  Ｃａｒｄ）など及びＵＳＢ保存装置は、フラッシューメモリ（ｆｌａｓｈ  ｍｅｍｏｒｙ）を各種の保存装置に応用することは、今日の補助的な保存慣習となっている。さらに、この種のメモリ装置は取付け、拡張が簡単、熱挿抜可能、高安全性、低発熱のほか、より良い効率と振動防止機能を有するため、常用の補助保存装置となっている。しかしながら、この種のメモリ装置の容量が限られているため、保存装置の主流になれない。現在の電子装置（パソコンなど）は本体のパネルに、各規格に適合されたカードリーダー（Ｃａｒｄ  Ｒｅａｄｅｒ）を取り付けるのみである。非常に惜しいことは、現時点この種のフラッシューメモリ装置は携帯用保存媒体の使用にとどまる。よって、電子装置により良いデータ保存装置の方法のほか、メモリ保存装置の応用分野を開発することが業界の改良、突破の重要な方向である。
【０００４】
本考案人は、前記した保存装置の拡張不便の課題と構成設計上が理想でない事実から、その解決方案の研究に着手し、より良い機動性、便利性、高い安全性と効率性の保存拡張装置を開発し、社会の大衆及びこの業界の発展に寄与するため、本考案を思案した次第である。
【課題を解決するための手段】
【０００５】
電子装置に設けられた複数のメモリスロットをメモリ装置の挿入に提供し、必要に応じて、メモリ装置を追加し保存容量の拡張ができる、かつ、その拡張は、取付け簡単、操作便利のため、保存装置の安全性、効率性と振動防止機能が向上される、一種の電子装置保存容量拡張のメモリ装置を提供することを本考案の主な目的とする。
【０００６】
本考案が前記の目的及び効果を達成するための技術手段は、基板に、少なくとも一つのインターフェースカードスロットを設ける。該データ保存モジュールは、１枚の保存インターフェースカードを含める。該保存インターフェースカードは該インターフェースカードスロットに挿入し、かつ、該保存インターフェースカードに、複数のメモリ装置を移動可能に挿入するメモリスロットを設ける。
【０００７】
本考案の技術手段はさらに、基板を、該基板に複数のインターフェースカードスロットを設ける。データ保存モジュールは、少なくとも２枚の保存インターフェースカードを含める。当該保存インターフェースカードは該インターフェースカードスロットに挿入し、かつ、当該保存インターフェースカードに、複数のメモリ装置を移動可能に挿入するメモリスロットを設ける。
【考案の効果】
【０００８】
電子装置に設けられた複数のメモリスロットをメモリ装置の挿入に提供し、必要に応じて、メモリ装置を追加し保存容量の拡張ができる、かつ、その拡張は、取付け簡単、操作便利のため、保存装置の安全性、効率性と振動防止機能が向上される、一種の電子装置保存容量拡張のメモリ装置を提供する。
【考案を実施するための最良の形態】
【０００９】
審査委員の方々に本考案の技術、特徴及び達成される効果にさらなるの理解と認識を図るため、好ましい実施例と図式を合わせて、以下のとおり詳細説明する。
【実施例１】
【００１０】
本考案は図２に示すパソコン（ＰＣ）の構成をもって、電子装置保存容量拡張のメモリ装置実施例１を例示する。主に基板１０とデータ保存モジュール４０を含め、該基板１０はさらにマイクロプロセッサー２０と保存装置制御インターフェース３０を含める。該保存装置制御インターフェース３０は電気回路３１により、該マイクロプロセッサー２０と該データ保存モジュール４０とそれぞれ接続する。該保存装置制御インターフェース３０はＰＣＩ（Ｐｅｒｉｐｈｅｒａｌ  Ｃｏｍｐｏｎｅｎｔ  Ｉｎｔｅｒｆａｃｅ）、ＥＳＡＴＡ（Ｅｘｔｅｒｎａｌ  Ｓｅｒｉａｌ  ＡＴＡ）、ＰＣＭＣＩＡ （Ｐｅｒｓｏｎａｌ  Ｃｏｍｐｕｔｅｒ  Ｍｅｍｏｒｙ  Ｃａｒｄ  Ｉｎｔｅｒｎａｔｉｏｎａｌ  Ａｓｓｏｃｉａｔｉｏｎ）などの伝送プロトコールに適合する。該データ保存モジュール４０は該基板１０に取付け、保存インターフェースカード４１と複数のメモリ装置４３を含める。該保存インターフェースカード４１に複数のメモリスロット４２を設け、該メモリスロット４２はメモリ装置４３の挿入に備える。該メモリスロット４２とメモリ装置４３との組み合わせはＳＤカード（Ｓｅｃｕｒｅ  Ｄｉｇｉｔａｌ）、ＣＦカード（Ｃｏｍｐａｃｔ  Ｆｌａｓｈ）、ＭＳカード（Ｍｅｍｏｒｙ  Ｓｔｉｃｋ）、ＭＭＣカード（Ｍｕｌｔｉ  Ｍｅｄｉａ  Ｃａｒｄ）、ＳＭカード（Ｓｍａｒｔ  Ｃａｒｄ）など各種のメモリ装置規格であっても良い。
【実施例２】
【００１１】
図３に本考案の電子装置保存容量拡張のメモリ装置実施例２を例示する。実施例１と異なる点は、該データ保存モジュール４０は少なくとも２枚の保存インターフェースカード４１と複数のメモリ装置４３を含める。当該保存インターフェースカード４１に複数のメモリスロット４２をそれぞれに設けて、該メモリスロット４２は該メモリ装置４３の挿入に備える。
【００１２】
図４ないし６を参照する。該基板１０は電子装置１００内部に設け、該基板１０に複数のインターフェースカードスロット１１を設け、当該インターフェースカードスロット１１は（ＶＧＡカード、音響カード、ネットワークカードなど）様々のインターフェースカード１２の挿入に提供するほか、該インターフェースカードスロット１１は少なくとも１枚の保存インターフェースカード４１の挿入に備える。当該インターフェースカードスロット１１は該電気回路３１、保存装置制御インターフェース３０経由に、該マイクロプロセッサー２０と電気接続する。該保存インターフェースカード４１に複数のメモリスロット４２を設け、該メモリスロット４２はＳＤカード（Ｓｅｃｕｒｅ  Ｄｉｇｉｔａｌ）、ＣＦカード（Ｃｏｍｐａｃｔ  Ｆｌａｓｈ）、ＭＳカード（Ｍｅｍｏｒｙ  Ｓｔｉｃｋ）、ＭＭＣカード（Ｍｕｌｔｉ  Ｍｅｄｉａ  Ｃａｒｄ）、ＳＭカード（Ｓｍａｒｔ  Ｃａｒｄ）など各種のメモリ装置規格に適合する。
【実施例３】
【００１３】
図６に本考案の電子装置保存容量拡張のメモリ装置実施例３を例示する。前記の実施例と異なる点は、保存装置制御インターフェース３０は該保存インターフェースカード４１に設け、かつ、該保存装置制御インターフェース３０は電気回路３１により該マイクロプロセッサー２０及び該データ保存モジュール４０とそれぞれに電気接続する。
【００１４】
本考案の電子装置保存容量拡張のメモリ装置を応用するときは、該メモリ装置４３を該保存インターフェースカード４１のメモリスロット４２に挿入し、電気接続を形成する。該保存インターフェースカード４１に複数のメモリスロット４２を設けているため、該メモリスロット４２に挿入するメモリ装置４３の数は、必要に応じて柔軟に設置して、後日に保存容量の拡張が必要なときは、残りのメモリスロット４２にメモリ装置４３を追加するように、機動的、簡単、便利に保存容量の拡張ができる。さらに、１枚のインターフェースカード４１のメモリスロット４２にメモリ装置４３を満杯に挿入した場合は、該基板１０の空きインターフェースカードスロット１１にて、もう１枚のインターフェースカード４１を増設できる。このように、保存容量の拡張要求を充分に満足できる。
【００１５】
本考案は内蔵のインターフェースカードスロットを保存インターフェースカードとメモリ装置との組み合わせにより、保存容量の拡張が簡単、便利、かつ、機動性を有するほか、メモリ装置の保存装置はＲｅａｄｙＢｏｏｓｔ（Ｗｉｎｄｏｗｓ（登録商標）  Ｖｉｓｔａのアクセレーター）として、電子装置（パソコンなど）のシステム応答速度を向上できる。さらに、ハードディスク上のデータアクセスより速い方法にて、メモリ装置をアクセスすることにより、システム稼働効果を向上できる。
【００１６】
本考案は電子装置内蔵のメモリスロットを利用し、フラッシューメモリ保存装置の挿入と使用に便利を提供し、必要に応じて、保存容量を追加できるほか、保存装置拡張するときは取付け簡単、操作便利から、電子装置内蔵の保存装置の安全性、効率性と振動防止機能を向上できるため、実用価値を有する。
【図面の簡単な説明】
【００１７】
【図１】公知技術のハードディスク保存装置の概略図である。
【図２】本考案の実施例１の装置概略図である。
【図３】本考案の実施例２の装置概略図である。
【図４】本考案の保存装置の分解概略図である。
【図５】本考案の応用態様概略図である。
【図６】本考案の実施例３の装置概略図である。
【符号の説明】
【００１８】
１０      基板
１１      インターフェースカードスロット
１２      インターフェースカード
２０      マイクロプロセッサー
３０      保存装置制御インターフェース
３１      電気回路
４０      データ保存モジュール
４１      保存インターフェースカード
４２      メモリスロット
４３      メモリ装置
１００    電子装置
【図１】
0003146544.tif 000003
【図２】
0003146544.tif 000004
【図３】
0003146544.tif 000005
【図４】
0003146544.tif 000006
【図５】
0003146544.tif 000007
【図６】
0003146544.tif 000008